【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
第１のマイクと、
第２のマイクと、
駆動手段を駆動するための駆動指示を入力する入力手段と
前記第１のマイクから得られた音声データをフーリエ変換することによって、音声スペクトルデータを取得する第１の変換手段と、
前記第２のマイクから得られた音声データをフーリエ変換することによって、音声スペクトルデータを取得する第２の変換手段と、
前記駆動指示が入力される前に前記第１の変換手段から得られた第１の音声スペクトルデータと、前記駆動指示が入力されてから所定の期間が経過した後に前記第１の変換手段から得られた第２の音声スペクトルデータとの差分に基づき、前記駆動手段の駆動ノイズを表す第１のノイズスペクトルデータを作成する第１の作成手段と、
前記駆動指示が入力される前に前記第２の変換手段から得られた第３の音声スペクトルデータと、前記駆動指示が入力されてから所定の期間が経過した後に前記第２の変換手段から得られた第４の音声スペクトルデータとの差分に基づき、前記駆動手段の駆動ノイズを表す第２のノイズスペクトルデータを作成する第２の作成手段と、
前記第１の変換手段から得られた音声スペクトルデータと前記第２の変換手段から得られた音声スペクトルデータとの和と、前記第１の変換手段から得られた音声スペクトルデータと前記第２の変換手段から得られた音声スペクトルデータとの差とに応じて、前記駆動ノイズを低減するために前記第１のノイズスペクトルデータを用いるか否かを制御する制御手段と
を有し、
前記制御手段は、前記第１の変換手段から得られた音声スペクトルデータと前記第２の変換手段から得られた音声スペクトルデータとの和と、前記第１の変換手段から得られた音声スペクトルデータと前記第２の変換手段から得られた音声スペクトルデータとの差とに応じて、前記駆動ノイズを低減するために前記第２のノイズスペクトルデータを用いるか否かを制御することを特徴とする電子機器。
【請求項２】
前記制御手段は、前記第１の変換手段から得られた音声スペクトルデータと前記第２の変換手段から得られた音声スペクトルデータとの和に対する前記第１の変換手段から得られた音声スペクトルデータと前記第２の変換手段から得られた音声スペクトルデータとの差の割合を示す値に応じて、前記駆動ノイズを低減するために前記第１のノイズスペクトルデータを用いるか否かを制御することを特徴とする請求項１に記載の電子機器。
【請求項３】
前記制御手段は、前記値に応じて、前記駆動ノイズを低減するために前記第２のノイズスペクトルデータを用いるか否かを制御することを特徴とする請求項２に記載の電子機器。
【請求項４】
前記制御手段は、前記値が所定値以下である場合、前記駆動ノイズを低減するために前記第１のノイズスペクトルデータを用いるように制御することを特徴とする請求項２または３に記載の電子機器。
【請求項５】
前記制御手段は、前記値が前記所定値以下でない場合、前記駆動ノイズを低減するために前記第１のノイズスペクトルデータを用いないように制御することを特徴とする請求項４に記載の電子機器。
【請求項６】
前記制御手段は、前記値が前記所定値以下である場合、前記駆動ノイズを低減するために前記第２のノイズスペクトルデータを用いるように制御することを特徴とする請求項４または５に記載の電子機器。
【請求項７】
前記制御手段は、前記値が前記所定値以下でない場合、前記駆動ノイズを低減するために前記第２のノイズスペクトルデータを用いないように制御することを特徴とする請求項４から６のいずれか１項に記載の電子機器。
【請求項８】
前記駆動手段は、レンズを移動させるように制御することを特徴とする請求項１から７のいずれか１項に記載の電子機器。
【請求項９】
画像データを撮像するための撮像手段をさらに有することを特徴とする請求項１から８のいずれか１項に記載の電子機器。
【請求項１０】
第１のマイクと、第２のマイクと、駆動手段を駆動するための駆動指示を入力する入力手段とを有する電子機器を制御する制御方法であって、
前記第１のマイクから得た音声データをフーリエ変換することによって、音声スペクトルデータを取得するステップと、
前記第２のマイクから得た音声データをフーリエ変換することによって、音声スペクトルデータを取得するステップと、
前記駆動指示が入力される前に得られた前記第１のマイクに対応する第１の音声スペクトルデータと、前記駆動指示が入力されてから所定の期間が経過した後に得られた前記第１のマイクに対応する第２の音声スペクトルデータとの差分に基づき、前記駆動手段の駆動ノイズを表す第１のノイズスペクトルデータを作成するステップと、
前記駆動指示が入力される前に得られた前記第２のマイクに対応する第３の音声スペクトルデータと、前記駆動指示が入力されてから所定の期間が経過した後に得られた前記第２のマイクに対応する第３の音声スペクトルデータとの差分に基づき、前記駆動手段の駆動ノイズを表す第２のノイズスペクトルデータを作成するステップと、
前記第１のマイクから得られた音声スペクトルデータと前記第２のマイクから得られた音声スペクトルデータとの和と、前記第１のマイクから得られた音声スペクトルデータと前記第２のマイクから得られた音声スペクトルデータとの差とに応じて、前記駆動ノイズを低減するために前記第１のノイズスペクトルデータを用いるか否かを制御するステップと、
前記第１のマイクから得られた音声スペクトルデータと前記第２のマイクから得られた音声スペクトルデータとの和と、前記第１のマイクから得られた音声スペクトルデータと前記第２のマイクから得られた音声スペクトルデータとの差とに応じて、前記駆動ノイズを低減するために前記第２のノイズスペクトルデータを用いるか否かを制御するステップとを有することを特徴とする制御方法。
【手続補正２】
【補正対象書類名】明細書
【補正対象項目名】００１１
【補正方法】変更
【補正の内容】
【００１１】
本発明に係る電子機器は、
第１のマイクと、
第２のマイクと、
駆動手段を駆動するための駆動指示を入力する入力手段と
前記第１のマイクから得られた音声データをフーリエ変換することによって、音声スペクトルデータを取得する第１の変換手段と、
前記第２のマイクから得られた音声データをフーリエ変換することによって、音声スペクトルデータを取得する第２の変換手段と、
前記駆動指示が入力される前に前記第１の変換手段から得られた第１の音声スペクトルデータと、前記駆動指示が入力されてから所定の期間が経過した後に前記第１の変換手段から得られた第２の音声スペクトルデータとの差分に基づき、前記駆動手段の駆動ノイズを表す第１のノイズスペクトルデータを作成する第１の作成手段と、
前記駆動指示が入力される前に前記第２の変換手段から得られた第３の音声スペクトルデータと、前記駆動指示が入力されてから所定の期間が経過した後に前記第２の変換手段から得られた第４の音声スペクトルデータとの差分に基づき、前記駆動手段の駆動ノイズを表す第２のノイズスペクトルデータを作成する第２の作成手段と、
前記第１の変換手段から得られた音声スペクトルデータと前記第２の変換手段から得られた音声スペクトルデータとの和と、前記第１の変換手段から得られた音声スペクトルデータと前記第２の変換手段から得られた音声スペクトルデータとの差とに応じて、前記駆動ノイズを低減するために前記第１のノイズスペクトルデータを用いるか否かを制御する制御手段と
を有し、
前記制御手段は、前記第１の変換手段から得られた音声スペクトルデータと前記第２の変換手段から得られた音声スペクトルデータとの和と、前記第１の変換手段から得られた音声スペクトルデータと前記第２の変換手段から得られた音声スペクトルデータとの差とに応じて、前記駆動ノイズを低減するために前記第２のノイズスペクトルデータを用いるか否かを制御することを特徴とする。